(57)【要約】      （修正有）【課題】応用範囲が広く、難揮発性物を高速にサンプリングして検出することができる検出サンプル検出用のゲートシステム及びサンプル検証方法を提供する。【解決手段】挿入された検出対象のチケット・証明書を収容するための収容装置１０２と、検出対象のチケット・証明書を収容装置内で移動させ、検出対象のチケット・証明書に対しワイプサンプリングを行うためのワイプサンプリングベルトを備えるワイプサンプリング装置１０４と、ワイプサンプリング装置から落ちたサンプルを収集するための吸気サンプリング装置１０６と、サンプルを検出し、検出結果を出力するための検出装置１０８とを含む。【選択図】図１
2019197053.tif 000002
【特許請求の範囲】
【請求項１】
挿入された検出対象のチケット・証明書を収容するための収容装置と、
前記検出対象のチケット・証明書を前記収容装置内で移動させ、前記検出対象のチケット・証明書に対しワイプサンプリングを行うための前記ワイプサンプリングベルトを備えるワイプサンプリング装置と、
前記ワイプサンプリング装置から落ちたサンプルを収集するための吸気サンプリング装置と、
前記サンプルを検出し、検出結果を出力するための検出装置と、を含む
ことを特徴とするサンプル検出用のゲートシステム。
【請求項２】
前記収容装置は、
前記検出対象のチケット・証明書を載置するためのカードスロットと、
前記検出対象のチケット・証明書と前記ワイプサンプリングベルトとの接触圧力を増加させて、前記検出対象のチケット・証明書を前記ワイプサンプリングベルトと接触するためのスプリングプランジャーとを含む
ことを特徴とする請求項１に記載のサンプル検出用のゲートシステム。
【請求項３】
前記収容装置は、さらに、
内蔵チップで前記検出対象のチケット・証明書の情報を読み出して情報の検証を行うための情報リーダーと、
前記検出対象のチケット・証明書の情報の検証が完了した後、前記検出対象のチケット・証明書をカードスロットからイジェクトするための弾性シートとを含む
ことを特徴とする請求項１に記載のサンプル検出用のゲートシステム。
【請求項４】
前記ワイプサンプリング装置は、さらに、
前記ワイプサンプリングベルトが伝動するように駆動するための電動ロールと、
前記ワイプサンプリングベルトを降温させるための半導体冷却フィンとを含む
ことを特徴とする請求項１に記載のサンプル検出用のゲートシステム。
【請求項５】
前記吸気サンプリング装置は、
前記ワイプサンプリング装置の下に位置し、前記サンプルを吸気サンプリング装置に吸引するためのサンプリング吸気口と、
気流を形成するための気流排出口と、
前記サンプルを収集するためのサンプリングヘッダとを含む
ことを特徴とする請求項１に記載のサンプル検出用のゲートシステム。
【請求項６】
前記気流排出口は、中心回転気流排出口及び周辺回転気流排出口を含む
ことを特徴とする請求項５に記載のサンプル検出用のゲートシステム。
【請求項７】
前記中心回転気流排出口は、前記サンプリング吸気口を周回し、低速の気流を排出し、
前記周辺回転気流排出口は、前記中心回転気流排出口を周回し、高速の気流を排出する
ことを特徴とする請求項６に記載のサンプル検出用のゲートシステム。
【請求項８】
前記吸気サンプリング装置は、さらに、
Ｏリング及びホーン状のサンプリングヘッダカバーを含む
ことを特徴とする請求項７に記載のサンプル検出用のゲートシステム。
【請求項９】
前記吸気サンプリング装置は、サイクロン式のサンプリング装置を含む
ことを特徴とする請求項５に記載のサンプル検出用のゲートシステム。
【請求項１０】
前記検出装置は、
カラム及びイオン遷移チューブのうちの少なくとも１つと、サンプル交換半透膜とを含む
ことを特徴とする請求項１に記載のサンプル検出用のゲートシステム。
【請求項１１】
検出対象のチケット・証明書を受けることと、
ワイプサンプリング装置内のワイプサンプリングベルトを使用して、前記検出対象のチケット・証明書に対しワイプサンプリングを行うことと、
気流で前記ワイプサンプリングベルトからサンプルを吹き落とし、前記ワイプサンプリングベルトから落ちたサンプルを収集することと、を含む
ことを特徴とするサンプル検出方法。
【請求項１２】
検出対象のチケット・証明書を受けた後、ゲートシステムを利用して、収容装置内に置いた検出対象のチケット・証明書を読み出して検証することをさらに含み、
前記ゲートシステムは、
挿入された検出対象のチケット・証明書を収容するための収容装置と、
前記検出対象のチケット・証明書を前記収容装置内で移動させ、前記検出対象のチケット・証明書に対しワイプサンプリングを行うためのワイプサンプリングベルトを備えるワイプサンプリング装置と、
前記ワイプサンプリング装置から落ちたサンプルを収集するための吸気サンプリング装置と、
前記サンプルを検出し、検出結果を出力するための検出装置とを含む
ことを特徴とする請求項１１に記載のサンプル検出方法。
【発明の詳細な説明】
【技術分野】
【０００１】
本願は、検出分析技術分野に関し、具体的に、サンプル検出用のゲートシステム及びサンプル検証方法に関する。
【背景技術】
【０００２】
現在、テロ事件及び麻薬密輸を打撃するために、イオン遷移スペクトル、ガスクロマトグラフィー、ガスクロマトグラフィーとイオン遷移スペクトルとの併用、ガスクロマトグラフィーと質量スペクトルとの併用等の技術を主に利用して、微量の麻薬や爆発物を検出する。例えば、空港、鉄道、道路、会場の出入り口等の多くの場所で、チケット、ＩＣカード又は身分証等に対し、微量の麻薬、爆発物等の難揮発性、高沸点のサンプルを高速、有効に収集して分析する装置を提供する必要がある。
【０００３】
従来、微量の麻薬、爆発物への検出は、試験紙で検査対象の服、荷物バッグを拭いて表面のサンプリングを行ってから、熱解析の機器で分析する。しかしながら、チケット、ＩＣカード又は身分証等に対して、麻薬、爆発物等のサンプリング解析に適用される技術においては、報告例がない。ここで、Ｓｍｉｔｈｓはエアーポンプの吸気及び吸着ベルトの吸着を利用してサンプリングする方法を開示し、Ｈｉｔａｃｈｉはファンビームの気流を利用して証明書の表面を吹き、サイクロン式の吸気技術と結合しサンプリングする方法を報告する。この場合、チケット、ＩＣカード、身分証等に対するサンプリングの検出を実現しているが、そのサンプリングの効率が低く、機器に対する検出感度の要求が高く、その実施が困難である。
【０００４】
従来のサンプル捕集及びサンプル解析装置において、サンプル捕集部分には２つのボビンに巻回されるサンプリングベルトが装着されており、サンプリングベルトに吸着性の材料が塗布されている。サンプリングを行う時に、ポンプを起動して吸気し、サンプルがサンプリングベルトに吸引されて吸着される。サンプリングが完了した後、サンプルが吸着される部分を熱脱着領域に伝送し、瞬間熱脱着を行ってからＧＣ−ＩＭＳに伝送して検出分析を行う。当該技術は、自動、連続のサンプリングを実現し、カード、証明書のサンプリング及び検出に適用される。しかしながら、その本質は、吸気式のサンプリングに属し、当該サンプリング方法は、高沸点、高粘着力を有する麻薬や爆発物サンプルに対する収集効率が低い。
【０００５】
従来のゲートセキュリティ機器において、ファンビームの気流を利用してカード、証明書の表面を吹き、サイクロン式の吸気サンプリング装置を利用して、カード、証明書から落ちたサンプルを収集してから、検出装置に送って検出を行う。このように、強いファンビームの気流を利用してカード、証明書の表面を吹き、サイクロン式のサンプリングと結合する方法は、直接の吸気のサンプリング方式と比べ、サンプリング効果が明らかに改良されるが、ファンビームの気流を利用してカードからサンプルを吹き、サイクロン式のサンプリング機器を利用して捕集する同時に、一部の吹き落としたサンプルがサイクロン式のサンプリング装置により捕集されなく、且つ、麻薬、爆発物等の高沸点の微粒子がカードや証明書に吸着された後、気流によってそれらを吹き落すことは困難であり、そして、このサンプリング技術が麻薬、爆発物に対するサンプリング効果をさらに向上させることは難しい。
【０００６】
そして、新しいサンプル検出用のゲートシステム及びサンプル検証方法を提供する必要がある。
【０００７】
上述した背景技術の説明における開示された上記情報は、本発明の背景に対する理解を深めるためのものに過ぎなく、当業者に知られている従来技術を構成しない情報を含んでいてもよい。
【発明の概要】
【０００８】
この点に鑑み、本願は、応用範囲が広く、難揮発性物を高速にサンプリングして検出することができる検出サンプル検出用のゲートシステム及びサンプル検証方法を提供する。
【０００９】
本願の他の態様及びメリットは、部分的に以下の記述に記載され、且つ、一部が以下の記述によって明瞭となり、又は、本発明の実践によって得られる。
【００１０】
本願の１つの形態は、サンプル検出用のゲートシステムを提供し、当該ゲートシステムは、挿入された検出対象のチケット・証明書を収容するための収容装置と、前記検出対象のチケット・証明書を前記収容装置内で移動させ、前記検出対象のチケット・証明書に対しワイプサンプリングを行うためのワイプサンプリングベルトを備えるワイプサンプリング装置と、前記ワイプサンプリング装置から落ちたサンプルを収集するための吸気サンプリング装置と、前記サンプルを検出し、検出結果を出力するための検出装置とを含む。
【００１１】
本願の１つの例示的な実施例において、前記収容装置は、前記検出対象のチケット・証明書を載置するためのカードスロットを含む。
【００１２】
本願の１つの例示的な実施例において、前記収容装置は、さらに、前記検出対象のチケット・証明書と前記ワイプサンプリングベルトとの接触圧力を増加させて、前記検出対象のチケット・証明書を前記ワイプサンプリングベルトと接触するためのスプリングプランジャーを含む。
【００１３】
本願の１つの例示的な実施例において、前記収容装置は、さらに、内蔵チップで前記検出対象のチケット・証明書の情報を読み出して、情報の検証を行うための情報リーダーと、前記検出対象のチケット・証明書の情報の検証が完了した後、前記検出対象のチケット・証明書を前記カードスロットからイジェクトするための弾性シートとを含む。
【００１４】
本願の１つの例示的な実施例において、前記ワイプサンプリング装置は、さらに、前記ワイプサンプリングベルトが伝動するように駆動する電動ロールと、前記ワイプサンプリングベルトを降温するための半導体冷却フィンとを含む。
【００１５】
本願の１つの例示的な実施例において、前記吸気サンプリング装置は、前記ワイプサンプリング装置の下に位置し、前記サンプルを吸気サンプリング装置に吸引するためのサンプリング吸気口と、気流を形成するための気流排出口と、前記サンプルを収集するためのサンプリングヘッダとを含む。
【００１６】
本願の１つの例示的な実施例において、前記気流排出口は、中心回転気流排出口及び周辺回転気流排出口を含む。
【００１７】
本願の１つの例示的な実施例において、前記中心回転気流排出口は、前記サンプリング吸気口を周回し、低速の気流を排出し、前記周辺回転気流排出口は、前記中心回転気流排出口を周回し、高速の気流を排出する。
【００１８】
本願の１つの例示的な実施例において、前記吸気サンプリング装置は、さらに、Ｏリング及びホーン状のサンプリングヘッダカバーを含む。
【００１９】
本願の１つの例示的な実施例において、前記吸気サンプリング装置は、サイクロン式のサンプリング装置である。
【００２０】
本願の１つの例示的な実施例において、前記検出装置は、カラム及びイオン遷移チューブのうちの少なくとも１つと、サンプル交換半透膜とを含む。
【００２１】
本願の１つの形態は、サンプル検出方法を提供し、当該方法は、検出対象のチケット・証明書を受けることと、ワイプサンプリング装置内のワイプサンプリングベルトを使用して、前記検出対象のチケット・証明書に対しワイプサンプリングを行うことと、気流で前記ワイプサンプリングベルトからサンプルを吹き落とし、前記ワイプサンプリングベルトから落ちたサンプルを収集することと、前記サンプルを検出し、検出結果を出力することとを含む。
【００２２】
本願の１つの例示的な実施例において、検出対象のチケット・証明書を取得した後、ゲートシステムを使用して、収容装置内に置いた検出対象のチケット・証明書を読み出して検証することを含む。前記ゲートシステムは、挿入された検出対象のチケット・証明書を収容するための収容装置と、前記検出対象のチケット・証明書を前記収容装置内で移動させ、前記検出対象のチケット・証明書に対しワイプサンプリングを行うためのワイプサンプリングベルトを備えるワイプサンプリング装置と、前記ワイプサンプリング装置から落ちたサンプルを収集するための吸気サンプリング装置と、前記サンプルを検出し、検出結果を出力するための検出装置とを含む。
【００２３】
本願のサンプル検出用のゲートシステム及びサンプル検証方法は、その応用範囲が広く、難揮発性物を高速にサンプリングして検出することができる。
【００２４】
なお、以上及び以下の記載は、例示的なものであり、本願を限定しない。
【図面の簡単な説明】
【００２５】
図面を参照してその実施例を説明して、本願の上記の目的、特徴、及び利点が明らかになる。以下に記載された図面は、本願のいくつかの実施例であり、当業者は、創造な労働を貢献しない場合、これらの図面から他の図面を得ることができる。
【図１】１つの例示的な実施例におけるサンプル検出用のゲートシステムを示す模式図である。
【図２】１つの例示的な実施例におけるサンプル検出用のゲートシステムの収容装置を示す模式図である。
【図３】１つの例示的な実施例におけるサンプル検出用のゲートシステムのワイプサンプリング装置を示す模式図である。
【図４】１つの例示的な実施例におけるサンプル検出用のゲートシステムのサンプリング装置を示す模式図である。
【図５】他の１つの例示的な実施例におけるサンプル検出用のゲートシステムを示す模式図である。
【図６】１つの例示的な実施例におけるサンプル検証方法のフローチャートである。
【発明を実施するための形態】
【００２６】
次に、図面を参照しながら、例示的な実施形態をより全面的に説明する。ただし、例示的な実施形態は複数種類の形態で実施することができ、ここに記述する実施形態に限定されない。逆に、これらの実施形態の提供によれば、本開示を全面で完全に、且つ、例示的な実施形態の思想を全面的に当業者に伝達する。図面における同じ図面符号は、同じ又は類似する要素を示すので、それらの詳細な記述が省略される。
【００２７】
なお、記載されている特徴、構成、または特性は、いかなる適当な方式で１つ以上の実施の形態に組み入れることができる。以下の記載において、多くの細部を提供して本開示の実施の形態をよく理解する。なお、当業者は、本開示の技術案を実践して１つ以上の特定の細部を省略し、又は他の方法、部品、装置、ステップ等を利用することができることを認識すべきである。その他の場合、本開示の各形態に影響を与えて不明にならないように、既知の技術案を詳しく示さなく、説明しない。
【００２８】
図面に記載されるいくつかのブロック図は、機能的エンティティであり、物理的又は論理的に分離したエンティティに必ずしも対応する必要がない。ソフトウェア形態によりこれらの機能的エンティティを実現し、又は１つ以上のハードウェアモジュールや集積回路においてこれらの機能的エンティティを実現し、又は異なるネットワーク及び／又はプロセッサー装置及び／又はマイクロコントローラ装置においてこれらの機能的エンティティを実現することができる。
【００２９】
図面に記載されるフォローチャートは、例示的なものであり、すべての内容、操作／ステップを含む必要がなく、記載される順番によって実行する必要がない。例えば、ある操作／ステップは分解しても良く、ある操作／ステップが合弁又は部分に合弁しても良く、この場合、実行の順番が実際によって変更しても良い。
【００３０】
なお、本明細書において、第１、第２、第３の単語を使用して各部品を記載しているが、これらの部品は、これらの単語により限定しない。これらの単語は、部品を区別するためのものである。そして、以下の第１部品を第２部品と言っても、本願の概念から外れない。本明細書において、「及び／又は」は、関連する項目のうちの１つ及び複数の組み合わせを含む。
【００３１】
なお、当業者は、図面が実施例の模式図であり、図面内のモジュール又はプロセスが本願の実施に必要なものでなく、本願の範囲を限定しないと理解される。
本願の装置の実施例は、本願の方法を実行するための実施例である。本願の装置の実施例に記載されない内容は、本願の方法の実施例を参照する。
【００３２】
図１は１つの例示的な実施例におけるサンプル検出用のゲートシステムを示す模式図である。図１に示すように、サンプル検出用のゲートシステム１０は、収容装置１０２、ワイプサンプリング装置１０４、吸気サンプリング装置１０６、検出装置１０８を含む。ここで、１が検出対象のチケット・証明書であり、１３が前記サンプル検出用のゲートシステム１０のケースである。
【００３３】
ここで、収容装置１０２は、挿入された検出対象のチケット・証明書を収容し、さらに、前記収容装置内の置いた検出対象のチケット・証明書の情報を読み出して検証する。本願において、検出対象のチケット・証明書は、例えば、乗車券、ＩＣカード及び身分証等の証明書などを含む。
【００３４】
ワイプサンプリング装置１０４は、ワイプサンプリングベルト１０４２を含み、前記ワイプサンプリングベルト１０４２は、前記検出対象のチケット・証明書を前記収容装置内で移動させ、さらに、前記検出対象のチケット・証明書に対しワイプサンプリングを行う。
【００３５】
吸気サンプリング装置１０６は、前記ワイプサンプリング装置から落ちたサンプルを収集する。
【００３６】
検出装置１０８は、前記サンプルを検出し、検出結果を出力する。
図２は１つの例示的な実施例におけるサンプル検出用のゲートシステムの収容装置を示す模式図である。図２に示すように、収容装置１０２は、カードスロット１０２２、情報リーダー１０２４、スプリングプランジャー１０２６、弾性シート１０２８を含む。
【００３７】
ここで、カードスロット１０２２は、前記検出対象のチケット・証明書を載置する。
【００３８】
情報リーダー１０２４は、内蔵チップで前記検出対象のチケット・証明書の情報を読み出して情報の検証を行う。情報リーダーは、例えば、情報読取チップを含み、情報読取チップは、乗車券、ＩＣカード及び身分証等の証明書の内容を読み出して、情報の検証を行う。
【００３９】
スプリングプランジャー１０２６は、前記検出対象のチケット・証明書と前記ワイプサンプリングベルトとの接触圧力を増加させて、前記検出対象のチケット・証明書を前記ワイプサンプリングベルトと接触する。
【００４０】
弾性シート１０２８は、前記検出対象のチケット・証明書の情報の検証が完了した後、前記検出対象のチケット・証明書を前記カードスロットからイジェクトする。
【００４１】
図３は１つの例示的な実施例におけるサンプル検出用のゲートシステムのワイプサンプリング装置を示す模式図である。図３に示すように、ワイプサンプリング装置１０４は、ワイプサンプリングベルト１０４２、電動ロール１０４４、半導体冷却フィン１０４６を含む。
【００４２】
ここ、電動ロール１０４４は、前記ワイプサンプリングベルトが伝動するように駆動する。
【００４３】
半導体冷却フィン１０４６は、前記ワイプサンプリングベルトを降温する。
【００４４】
図４は、１つの例示的な実施例におけるサンプル検出用のゲートシステムのサンプリング装置を示す模式図である。図４に示すように、吸気サンプリング装置１０６は、サンプリング吸気口１０６２、中心回転気流排出口１０６４与周辺回転気流排出口１０６６、サンプリングヘッダ１０６８、Ｏリング１０６７、ホーン状のサンプリングヘッダカバー１０６９を含む。
【００４５】
ここで、サンプリング吸気口１０６２は、前記ワイプサンプリング装置１０４の下に位置し、前記サンプルをサンプリング装置に吸入する。
【００４６】
気流排出口は、気流を形成し、前記気流排出口は、中心回転気流排出口１０６４及び周辺回転気流排出口１０６６を含む。
【００４７】
サンプリングヘッダ１０６８は、前記サンプルを収集し、前記吸気サンプリング装置１０６８は、サイクロン式のサンプリング装置を含む。吸気サンプリング装置１０６８は、例えば、さらに、熱脱着室／チャンバ、従来の吸気サンプリングポンプの吸気サンプリング方式及び他の方式のサンプリング装置を含み、本願はこれに限定しない。
【００４８】
前記吸気サンプリング装置１０６は、さらに、Ｏリング１０６７及びホーン状のサンプリングヘッダカバー１０６９を含む。
【００４９】
本願の１つの例示的な実施例において、前記検出装置１０８は、サンプル交換半透膜、カラム、及びイオン遷移チューブを含む。サンプリング検出装置は、例えば、従来の技術において任意のタイプや種類の検出装置を使用して、サンプルに対するサンプリングを実現すればよく、本願はこれに限定しない。
【００５０】
ここで、半透膜(ｓｅｍｉｐｅｒｍｅａｂｌｅ  ｍｅｍｂｒａｎｅ)は、ある分子又はイオンを拡散進出し、異なる粒子に対する選択性を有する薄膜である。例えば、細胞膜、膀胱膜、羊皮紙及び人工のコロジオン薄膜等である。現代の半透膜は、多孔壁を利用して適切な化合物がその孔の空隙に沈殿して作成する。本願において、サンプル交換半透膜は、以上の１つ又は複数の組み合わせであっても良く、本願はこれに限定しない。
【００５１】
ここで、カラムは、充填カラム及びオープンカラムの２つの種類に分ける。多数は金属又はガラスからなる。直管形、巻管形、Ｕ字管等の形状を挙げる。液体クロマトグラフィーは、通常、充填カラムを採用する。カラムは、用途によって解析型及び調製型の２つのタイプに分け、そのサイズ規格も異なる。（１）通常解析カラム(定数カラム)として、内径２〜５ｍｍ、カラム長さ１０〜３０ｃｍであり、（２）狭い径カラム(ｎａｒｒｏｗ  ｂｏｒｅ)として、内径１〜２ｍｍ、カラム長さ１０〜２０ｃｍであり、（３）マイクロカラム(ｍｉｃｒｏｃｏｌｕｍｎ)として、内径０．２〜０．５ｍｍであり、（４）半調製カラムとして、内径＞５ｍｍであり、（５）実験室調製カラムとして、内径２０〜４０ｍｍ、カラム長さ１０〜３０ｃｍであり、（６）生産調製カラムの内径が数十ｃｍである。カラム内径は、通常、カラム長さ、フィラー粒径及び流速によって確定され、管壁効果を回避するからである。本願において、カラムは上記の１つ又は複数の組み合わせであっても良く、本願はこれに限定しない。
【００５２】
ここで、イオン遷移チューブは、イオン遷移スペクトルを計算するための重要な部品であり、イオン遷移チューブにおいて、イオンが電界による力により飛行し、遷移ガスと衝突し、空間大きさの相異するイオンを分離させ、検出器に前後に到達する。本願において、イオン遷移チューブは従来の技術において任意のタイプや種類の組み合わせであっても良く、本願はこれに限定しない。
【００５３】
以上のように、麻薬、爆発物等の沸点が高く、揮発しにくくなり、吸気の方式で麻薬、爆発物等をサンプリングする場合、麻薬又は爆発物等を粘着する検出対象のチケット・証明書を一定の温度に(８℃より高い)に加熱し、麻薬又は爆発物を揮発させて良いサンプリング結果を得る。しかしながら、例えば、ＩＣカード、身分証にはチップが内蔵されており、また、その全体がプラスチックからなるため、高温の場合、カードを変形させ、さらに、チップを破壊してしまう。麻薬、爆発物に対して、ワイプサンプリングを利用して良い効果を有する。本願において、ワイプサンプリングベルト１０４２を使用し、検出対象のチケット・証明書等を拭いてサンプルを吸着してから、吸気サンプリング装置１０６内の高温回転気流を利用してワイプサンプリングベルト１０４２を打ってサンプルを気化させ、次に、サンプルが吸気サンプリング装置１０６内のサイクロン式のサンプリング口を介して検出装置１０８内のサンプル交換半透膜を経過し、カラム及びイオン遷移チューブで解析検出する。
【００５４】
図５は他の例示的な実施例におけるサンプル検出用のゲートシステムを示す模式図である。図５に示すように、サンプル検出用のゲートシステム１０の動作は以下の通りである。
【００５５】
ゲートを通過する人は、チケット／ＩＣカード／身分証１を検出対象のチケット・証明書のカードスロット１０２２のカード口に挿入し、カード口の片側にスプリングプランジャー１０２６が設けられ、スプリングプランジャー１０２６は、チケット／ＩＣカード／身分証１をワイプサンプリングベルト１０４２と確実に接触する。ワイプサンプリングベルト１０４２は、電動ロール１０４４の駆動により伝動するとともに、チケット／ＩＣカード／身分証１を同期に運動させ、検出対象のチケット・証明書の情報を読み出して検証し、チケット／ＩＣカード／身分証１が検出対象のチケット・証明書のカードスロット１０２２の末端に位置する弾性シート１０２８と接触した後、弾性シート１０２８は、チケット／ＩＣカード／身分証１をカードスロットからイジェクトし、乗客又は関係者は、チケット／ＩＣカード／身分証１を取り出す。この時、乗客又は関係者のチケット／ＩＣカード／身分証１に対するワイプサンプリング過程が終了する。
【００５６】
証明書のサンプルが吸着するワイプサンプリングベルト１０４２は、モーターの駆動により継続して伝動し、サイクロン式のサンプリング器の上方を経過する。ここで、サイクロン式のサンプリングヘッダ１０６８の外表面に加熱フィルムが設けられ、加熱フィルムに保温綿が外装され、清浄された空気又は窒素ガスがサイクロン式のサンプリング器の下の４つの吸気口から内チャンバ、外チャンバを介して加熱され、中心回転気流排出口１０６４及び周辺回転気流排出口１０６６から回転されて排出される。ここで、周辺回転気流排出口１０６６から排出したものは、大流量、高速の回転気流で、サイクロンの部分負圧を主に形成するためのものであり、中心回転気流排出口１０６４から排出したものは、低速の高温気流で、ワイプサンプリングベルト１０４２を加熱し、サンプルの吸着を主に解除するためのものである。ここで、サイクロンの負圧効果を補強するために、サイクロン式のサンプリング器の上部にホーン状のサンプリングヘッダカバー１０６９が設けられ、ホーン状のサンプリングヘッダカバー１０６９は、サイクロンを集中させ、サイクロンの負圧効果を補強することができる。ホーン状のサンプリングヘッダカバー１０６９とサイクロン式のサンプリング器との間は、Ｏリング１０６７を使用して固定する。析出されたサンプルは、サイクロン式のサンプリング器の負圧でサンプリング吸気口１０６２の下のサンプリング吸気ポンプにより、検出装置１０８の半透膜、カラム及びイオン遷移チューブを介して解析されて検出される。
【００５７】
本願のサンプル検出用のゲートシステムは、その応用範囲が広く、難揮発性物を高速にサンプリングして検出することができる。空港／道路／鉄道ゲート、大会議の入場等の人の通行現場での高速検査に適用され、従来のサンプリング方式による麻薬、爆発物等の難揮発性物に対するサンプリング困難及び検出精度の低下等の課題を解決し、微量の物質についての通関検査に新しいモードを創出する。
【００５８】
当業者は、上記の各モジュールが上記の実施例によって装置に位置しても良いし、対応に変更して本実施例に相異する１つ以上の装置に位置しても良いと理解する。上記の実施例のモジュールは、１つのモジュールに結合しても良く、複数のモジュールに分けても良い。
【００５９】
図６は１つの例示的な実施例におけるサンプル検証方法を示すフローチャートである。
【００６０】
図６に示すように、Ｓ６０２において、前記収容装置内に置いた検出対象のチケット・証明書の情報を読み出して検証する。ゲートシステムを利用して、収容装置内に置いた検出対象のチケット・証明書を読み出して検証し、前記ゲートシステムは、前記収容装置内に置いた検出対象のチケット・証明書の情報を読み出して検証するための収容装置と、前記検出対象のチケット・証明書を前記収容装置内で移動させ、前記検出対象のチケット・証明書に対しワイプサンプリングを行うためのワイプサンプリングベルトを備えるワイプサンプリング装置と、前記ワイプサンプリング装置から落ちたサンプルを収集するためのサンプリング装置と、前記サンプルを検出し、検出結果を出力するための検出装置とを含む。
【００６１】
Ｓ６０４において、ワイプサンプリング装置内のワイプサンプリングベルトを使用して、前記検出対象のチケット・証明書に対しワイプサンプリングを行う。
【００６２】
Ｓ６０６において、気流で前記ワイプサンプリングベルトからサンプルを吹き落とし、前記ワイプサンプリングベルトから落ちたサンプルを収集する。
【００６３】
Ｓ６０８において、前記サンプルを検出し、検出結果を出力する。
【００６４】
本願のサンプル検出の方法は、サンプル、特に、難揮発性、高沸点のサンプルに対するサンプリング効果の良いサンプリング方式及び気体に対するサンプリング収集効果の高いサイクロン式のサンプリングモードを採用する。この２つの方式を結合して使用することで、ＩＣカード、身分証等を直接に加熱して破壊することを回避し、一方、従来の熱脱着及び吸気サンプリング方式と比べ、サイクロン式のサンプリング器を採用して、設計を簡単化させ、また、従来の吸気方式と比べ、析出されたサンプルに対する収集効果が優れる。
【００６５】
なお、本願は、特定例を形成し使用することを記載されるが、本願の原理は、例示的なものに限定しない。逆に、本願の開示する内容に基づいて、これらの原理は、多くの他の実施例に応用される。
【００６６】
当業者は、上記の実施例を実現するためのすべての又は一部のステップをＣＰＵ実行可能なコンピュータプログラムとして実現すると理解する。当該コンピュータプログラムがＣＰＵにより実行される場合、本願の上記の方法の機能を実現する。前記プログラムは、コンピュータ可読記憶媒体に記憶され、当該記憶媒体は、読み取り専用メモリ、磁気ディスク又は光ディスク等であっても良い。
【００６７】
なお、上記の図面は、本願の実施例における方法の処理の模式的な記載であり、限定するものではない。理解を容易にするために、上記の図面に示す処理は、処理の順番を示し又は限定しない。また、理解を容易にするために、これらの処理は、例えば、複数のモジュールに同期又は非同期に実行する。
【００６８】
上記の実施例によって、当業者は、ここの実施例はソフトウェアで実現しても良いし、ソフトウェアとハードウェアとの組み合わせで実現しても良いと理解する。そして、本願の実施例に係る技術案は、ソフトウェア方式で体現し、当該ソフトウェア製品が不揮発性記憶媒体(ＣＤ−ＲＯＭ、Ｕディスク、モバイルハードディスク等)又はネットワークに記憶され、いくつかの命令を含み、これによって、コンピューターデバイス(パソコン、サーバー、移動端末、ネットワークデバイス等)は本願の実施例の方法を実行する。
【００６９】
以上、本願の実施例を説明する。なお、本願は、以上の構成、方式、実現方法に限定しなく、逆に、本願は、請求項の精神及び範囲内の各種の変更、相当する構成を含む。
【００７０】
なお、本明細書の図面に示す構成、比例、大きさ等は、明細書の内容を説明するためのものであり、当業者の読みや理解に用いられ、本願の範囲を限定するものではなく、技術において実質的な意味を有しなく、構成の変更、比例関係の変更又は大きさの調整は、本願の技術効果を影響しない場合、本願の範囲に含まれる。また、本明細書に引用する「上」、「第１」、「第２」及び「一」等の用語は、説明するためのものであり、本願の範囲を限定するものではなく、その相対関係の変更や調整は、技術を実質的に変更しない場合、本願の実施可能な範囲に含まれる。
【図１】
2019197053.tif 000003
【図２】
2019197053.tif 000004
【図３】
2019197053.tif 000005
【図４】
2019197053.tif 000006
【図５】
2019197053.tif 000007
【図６】
2019197053.tif 000008